(57)【要約】      （修正有）【課題】人が水に浮く最低減の浮力のため、津波に飲み込まれ、呼吸困難になったり、ガレキで浮袋が破損し役に立たない等への対策された救命胴衣がなかった。本発明は、２倍以上の浮力で、水中への沈み込みを防ぎ、簡単に酸素補給ができ、ガレキ漂流物、寒さから体、顔を保護する津波救命胴衣を提供する。【解決手段】ジャケットの表面側に浮力材２を装備、裏面側に酸素補給浮袋３を設け、柔軟パイプ空気口９内に圧縮解放逆止弁を設け、酸素補給浮袋とをジャバラパイプでつなぎ、顔保護面を備える。【選択図】図１
2013082412.tif 000002
【特許請求の範囲】
【請求項１】
ジャケットの表面側に浮力材（２）を装備し、裏面側に酸素補給浮袋（３）を設けた津波救命胴衣。
【請求項２】
空気口（９）内に固定ピン（１７）を備えた、くの字バネアーム（１１）の両先端に押出アーム（１２）を取り付けた逆止弁開放手段を設け、さらに接触しない先に逆止弁開放ボタン（１８）通気孔付バネ止め（１３）コイルバネ（１４）弁口部（１５）ロット付弁蓋部（１６）から成る逆止弁とで構成された、圧縮解放逆止弁（１０）を設け、酸素補給浮袋（３）との間をジャバラパイプ（５）でつないだ請求項１の津波救命胴衣。
【請求項３】
空気口（９）内に固定ピン（１７）を備えた、くの字バネアーム（１１）の両先端の対角線上の中央に、底辺をバネ側にした円錐形の通気孔付バネ止め（１３）と、コイルバネ（１４）弁口部（１５）ロット付弁蓋部（１６）から成る圧縮解放逆止弁（１０）を設け、酸素補給浮袋（３）との間をジャバラパイプ（５）でつないだ請求項１の津波救命胴衣。
【請求項４】
顔保護面を備えた請求項１の津波救命胴衣。
【発明の詳細な説明】
【技術分野】
【０００１】    本発明は、津波等の激流による水中への沈み込みを防ぎ、呼吸困難から命を守る救命胴衣に関するものである。
【背景技術】
【０００２】    従来、水難から身を守る命胴衣として、人が水に浮く最低限の浮力材をジャケットに装備した浮力材救命胴衣と、年に１回ガスボンベの交換を必要とする、ガス充填式救命胴とがある。
【先行技術文献】
【特許文献】
【０００３】
【特許文献１】特開２００３−１８０５４０号公報
【特許文献２】特開２００５−２４７０３４号公報
【発明の概要】
【発明が解決しようとする課題】
【０００４】  従来の救命胴衣は、次のような欠点があった。
浮力材救命胴衣は、作業性運動性等の問題から人を水に浮かせる最低限の浮力装備で、津波の激流に飲み込まれ、息ができない事が発生する等を想定した作りになっていない。激流の沈み込みに耐える浮力を得るには、従来の倍以上の浮力材の装備にする必要から、大きな救命胴衣となり、避難時の行動、作業の障害になる。また、いつどこで遭遇するか解らない車両への常備品にすべき場合等、保管場所が大きくなり大変不便である。【０００５】  ガス充てん式救命胴衣は、高額であり、年に１回ガスボンベの交換が必要のため、いつ来るかわからない津波に備えての負担が大きく、交換を忘れて使用不能だったり、津波のガレキで浮き袋が破損し救命胴衣の役目をしない。【０００６】  津波等の激流に飲み込まれ、ガレキの中に沈み込み等による呼吸困難時、簡単に酸素補給でき、ガレキ漂流物や寒さから、体顔を保護する救命胴衣等の類するものがない。
本発明は、以上の問題点を解決するために発明されたものである。
【課題を解決するための手段】
【０００７】  津波救命胴衣（１）の表面側に浮力材（２）を装備し、津波救命胴衣（１）の裏面側に酸素補給浮袋（３）を設ける。空気充填、酸素補給のための、柔軟パイプ（１９）の空気口（９）内に固定ピン（１７）を装備した、くの字バネアーム（１１）の両先端に押出アーム（１２）を取り付けた逆止弁開放手段を設け、さらに接触しない先に逆止弁開放ボタン（１８）通気孔付バネ止め（１３）コイルバネ（１４）弁口部（１５）ロット付弁蓋部（１６）から成る逆止弁とで構成された、図４の圧縮解放逆止弁（１０）を設け、酸素補給浮袋（３）との間をジャバラパイプ（５）でつなぐ。
以上の構成よりなる津波救命胴衣
【発明の効果】
【０００８】  本発明の救命胴衣のマウスピース空気口より人の口で空気充填することで、酸素補給浮袋と、浮力材の両方の浮力が、従来の救命胴衣の２倍以上の浮力を生み、激流による水中への沈み込みを防ぎ、身体へのダメージを軽減できる。また浮力材と浮袋による２重の断熱効果で極寒の海から体を保護でき、酸素補給浮袋は浮力材の内側に取り付けてあるため、ガレキ等による酸素補給浮袋の破損を防止できる。幼児が一緒の場合抱き抱えて装着することで、手から離すことなく大きい浮力で安心できる。万一の呼吸困難時は、マウスピース空気口柔軟パイプを前歯で噛むことで逆止弁を開放し、簡単に酸素補給浮袋内の酸素を補給することができ、両手が自由に使えるため非常時からの脱出に便利である。酸素補給浮袋の空気減少時は、浮上時に短時間で簡単に空気充填ができ、津波の第２波第３波に備えることができる。顔保護面を備えることで、ガレキ漂流物から大切な顔を保護できる。津波避難時の救命胴衣着用は、ほぼ浮力材のみの大きさのため、行動、作業の障害にならない。
【図面の簡単な説明】
【０００９】
【図１】本発明の津波救命胴衣表面側正面図
【図２】本発明の津波救命胴衣裏面側正面図
【図３】本発明のマウスピース空気口斜視図
【図４】本発明の圧縮解放逆止弁斜視図
【図５】本発明のくの字バネアームを前歯で噛んだ、逆止弁開放状態を示す圧縮解放逆止弁斜視図
【発明を実施するための形態】
【００１０】  以下、本発明の実施の形態を図面を用いて説明する。
【００１１】  図１は、本発明の実施の形態に係る津波救命胴衣（１）の表面側正面図、図２は、本発明の実施の形態に係る津波救命胴衣（１）の裏面側正面図、図３は、本発明の実施の形態に係るマウスピース（８）と空気口（９）の斜視図、図４は、本発明の実施の形態に係る圧縮解放逆止弁（１０）の斜視図、図５は、本発明の実施の形態に係るくの字バネアーム（１１）を前歯で噛んだ、逆止弁開放状態を示す、圧縮解放逆止弁（１０）の斜視図である。
【００１２】  津波救命胴衣（１）の前身ごろ表面側に、人の動作を阻害しない形状、大きさの発砲ポリエチレンまたは、発砲スチロール等の浮力材（２）を図１で示すように、左右の位置に装備し、前述、前身ごろ表面側に装備した浮力材（２）により、ガレキ漂流物から守られる形状、大きさの酸素補給浮袋（３）を、図２のように津波救命胴衣（１）の前身ごろの裏面側の左右に設け、さらに前述の左右の酸素補給浮袋（３）をつなぐ酸素補給浮袋（３）を、両肩部から、後身ごろの首部に、図２のように設けて、左右の酸素補給浮袋（３）を一体化した。
【００１３】  本実施の形態においては、前述左右の酸素補給浮袋（３）をつなぐ、両肩部から後身ごろ首部に設けた、酸素補給浮袋（３）の表面に浮力材（２）が装備されていないが、前述の両肩部に設けた酸素補給浮袋（３）の表面及び、後身ごろ首部に設けた酸素補給浮袋（３）の表面を含む後身ごろ全体に、人の動作を阻害しない形状、大きさの前述と同様の浮力材（２）を装備することで、酸素補給浮袋（３）をなお一層破損から守る事ができる。
【００１４】  また、前述の左右の酸素補給浮袋（３）及び、それらをつなぐ酸素補給浮袋（３）の取り付け位置については、ガレキ漂流物からの破損を防止でき、なお且つ人の動作を阻害しない位置であれば良く、本実施の形態にこだわらない。
【００１５】  酸素補給浮袋（３）への空気充填及び、酸素補給のための、柔軟パイプ（１９）の空気口（９）入口側に、図４に示すように個定ピン（１７）で、くの字バネアーム（１１）が固定されており、前歯で柔軟パイプ（１９）を噛むことで、柔軟パイプ（１９）が圧縮される、と同時に、くの字バネアーム（１１）も圧縮され、図５のように変形する。同時に、くの字バネアーム（１１）の両先端に取り付けられた押出アーム（１２）が、空気口（９）側と反対方向へ折れ出る作動を行う、逆止弁開放手段を設ける。
【００１６】  さらに図４、図５で示すように、空気充填した、酸素補給浮袋（３）内の圧力空気を保持するための、一対のロット付弁蓋部（１６）弁口部（１５）の空気弁を設け、ロット付弁蓋部（１６）の押出アーム（１２）側に逆止弁開放ボタン（１８）を設ける。ロット付弁蓋部（１６）が、弁口部（１５）を常に強く閉じる働きのコイルバネ（１４）と、そのコイルバネ（１４）を保持するための、空気が通過する孔を有した、通気孔付バネ止め（１３）を逆止弁開放ボタン（１８）と弁口部（１５）との間に設けた逆止弁を、くの字バネアーム（１１）が非圧縮時に、押出アーム（１２）の折れ出る先端部が接触しない位置に設ける。
【００１７】  前述の逆止弁開放手段と、逆止弁から成る圧縮解放逆止弁（１０）を設けた空気口（９）と、酸素補給浮袋（３）との間をジャバラパイプ（５）とパイプフランジ（６）でつないだ。
【００１８】  透明で、津波避難時に障害にならず、前が良く見え、ガレキ漂流物等から顔を守る事ができ、鼻の穴に異物等が入りにくい、形状、大きさの顔保護面を備える。
【００１９】  本発明は以上の構成よりなる。
【００２０】  本発明の津波救命胴衣を使用する場合は、津波救命胴衣（１）を着用し、避難行動するが、この時、津波救命胴衣（１）は、酸素補給浮袋（３）への空気充填はされていないので、ほぼ浮力材のみの大きさで、避難行動、作業の障害にならないため、敏速な行動ができるのである。しかし津波や危険から回避できない場合は、マウスピース（８）付、空気口（９）を、口に銜えて圧力空気を送ると、空気は、くの字バネアーム（１１）の間を通り、通気孔付バネ止め（１３）の通気孔を抜け、ロット付弁蓋部（１６）を圧力空気が押し開き、ジャバラパイプ（５）を通って、酸素補給浮袋（３）へ空気充填が行われ、浮力材（２）と酸素補給浮袋（３）との浮力で、２倍以上の浮力を有し、津波の激流による、水中への沈み込みを防ぐことができ、身体へのダメージを軽減できるのである。
【００２１】  左右の酸素補給浮袋（３）は、図２のように、浮力材（２）の裏面、身体側に、ガレキ漂流物の損傷から守られる形状、大きさで装備されており、損傷を防止するように作られているが、万一損傷により浮力を失うことがあっても、浮力材（２）により、最低限の浮力は維持されるので、安心である。また、海に流れ出た場合は、浮力材（２）と酸素補給浮袋（３）とによる２重の断熱効果で、極寒の海から体を保護でき、救助迄の時間の身体を守ることができ安心である。また、幼児が一緒の場合抱き抱えて装着することで、親が子供を手から離すことなく、浮力が大きく、空気圧力で津波救命胴衣（１）から幼児が抜け出るのを防止できる。
【００２２】  万一津波に飲み込まれ、呼吸困難に陥ったときは、口の中にある空気口（９）の柔軟パイプ（１９）を前歯で噛むことで、くの字バネアーム（１１）を圧縮、と同時に押出アーム（１２）が折れ出て、逆止弁開放ボタン（１８）を押し、それに伴いロット付弁蓋部（１６）が押され、弁口部（１５）が開き、充填済み酸素補給浮袋（３）内の圧縮空気が、ジャバラパイプ（５）を通り、ロット付弁蓋部（１６）、弁口部（１５）の間を抜け、コイルバネ（１４）、通気孔付バネ止め（１３）、くの字バネアーム（１１）の順に通り、空気口（９）より口の中に補給され、命を守ることができるのである。
【００２３】  上記実施の形態の圧縮解放逆止弁（１０）の、くの字バネアーム（１１）の両先端に、押出アーム（１２）を取り付けた逆止弁開放手段を設けたが、それ以外の形態として、くの字バネアーム（１１）の両先端の対角線上の中央に、底辺をバネ側にした円錐形の通気孔付バネ止め（１３）と、前述、コイルバネ（１４）弁口部（１５）ロット付弁蓋部（１６）から成る圧縮解放逆止弁（１０）を用いてもよい。その作動については、くの字バネアーム（１１）が圧縮されると、両先端の対角線上の中央の位置にある円錐形の通気孔付バネ止め（１３）に当たり、さらに両先端が縮まると、円錐形通気孔付バネ止め（１３）、は弁口部（１５）側に作動し、と同時に、ロット付弁蓋部（１６）が弁口部（１５）から離れ、弁が開いた状態になり空気を通すことができるのである。
また、それ以外の形態であっても、柔軟パイプを圧縮することで、逆止弁を開放する方法であれば、本発明の技術的範囲に含まれる。
【００２４】  上記実施の形態では、圧縮解放逆止弁（１０）を空気口（９）内に設け、前歯で噛み酸素補給を行うことが、非常時からの脱出時に両手が自由に使えるため便利であり、そのような形態としたが、それにこだわらず、圧縮解放逆止弁（１０）の取り付け位置は空気口（９）からパイプフランジ（６）の間であればどこでもよく、また、バネアーム（１１）の圧縮方法については、指で圧縮する、圧縮器具を用いる、またはそれに類する方法でもよいのである。
【００２５】  津波遭遇時に顔保護面を顔に取り付けることで、大切な顔をガレキ漂流物から守る事ができ、鼻の穴の中に異物が入り込むのを軽減でき、常に津波救命胴衣（１０）の収納袋内に備えられている。
【００２６】  以上、本発明の実施の形態について説明してきたが、本発明は、上述した実施の形態に限られるものではなく、本発明の要旨を逸脱しない範囲に置いて、本発明の実施の形態に対して種々の変形や変更を施すことができ、そのような変形や変更を伴うものもまた、本発明の技術的範囲に含まれるものである。
【符号の説明】
【００２７】１  津波救命胴衣
２  浮力材
３  酸素補給浮袋
４  線ファスナー
５  ジャバラパイプ
６  パイプフランジ
７  腕通し穴
８  マウスピース
９  空気口
１０  圧縮解放逆止弁
１１  くの字バネアーム
１２  押出アーム
１３  通気孔付バネ止め
１４  コイルバネ
１５  弁口部
１６  ロット付弁蓋部
１７  固定ピン
１８  逆止弁開放ボタン
１９  柔軟パイプ
【図１】
2013082412.tif 000003
【図２】
2013082412.tif 000004
【図３】
2013082412.tif 000005
【図４】
2013082412.tif 000006
【図５】
2013082412.tif 000007